(57)【要約】【課題】簡単な構成で残滓フィルタの目詰まりを検出することができる食器洗い機を得ること。【解決手段】食器を収容する洗浄槽１内に給水する給水弁２と、洗浄槽内の水を洗浄ノズル５に送る洗浄ポンプ４と、洗浄槽内の水を加熱する発熱体９と、洗浄槽内の水を外部に排水させる排水ポンプ１０と、洗浄ポンプ等への残滓の混入を防ぐ残滓フィルタ１１と、給水手段、洗浄ポンプ、発熱体、排水ポンプを駆動制御し、洗浄工程、すすぎ工程、加熱すすぎ工程を有する運転コースを実行するマイコン２０とを備えた食器洗い機において、フィルタ詰まりを検知するフィルタ詰まり検出手段と、フィルタ詰まりを報知する報知手段２２とを備え、フィルタ詰まり検出手段は洗浄槽内と連通するフロート室と、フロート室内の水位が所定のフィルタ詰まり基準水位になると動作する水位検出手段１６とからなる。【選択図】図１
2011000321.tif 000002
【特許請求の範囲】
【請求項１】
食器を収容する洗浄槽と、
該洗浄槽内に給水する給水手段と、
前記洗浄槽内に貯留された水を洗浄ノズルに送って食器に吹き付けさせ、該食器から落下した水を再び洗浄ノズルに送る洗浄ポンプと、
前記洗浄槽内に貯留された水を加熱する発熱体と、
前記洗浄槽内の水を外部に排水させる排水ポンプと、
前記洗浄ポンプ及び前記排水ポンプへの残滓の混入を防ぐための残滓フィルタと、
前記給水手段、前記洗浄ポンプ、前記発熱体、前記排水ポンプを駆動制御し、洗浄工程、少なくとも１つのすすぎ工程、加熱すすぎ工程を有する運転コースを実行する制御手段とを備えた食器洗い機において、
前記残滓フィルタの詰まりを検知するフィルタ詰まり検出手段と、
前記残滓フィルタの詰まりを報知する報知手段とを備え、
前記フィルタ詰まり検出手段は、前記洗浄槽内と連通するフロート室と、該フロート室内の洗浄水の水位が所定のフィルタ詰まり基準水位になると動作する水位検出手段とからなることを特徴とする食器洗い機。
【請求項２】
食器を収容する洗浄槽と、
該洗浄槽内に給水する給水手段と、
前記洗浄槽内に貯留された水を洗浄ノズルに送って食器に吹き付けさせ、該食器から落下した水を再び洗浄ノズルに送る洗浄ポンプと、
前記洗浄槽内に貯留された水を加熱する発熱体と、
前記洗浄槽内の水を外部に排水させる排水ポンプと、
前記洗浄ポンプ及び前記排水ポンプへの残滓の混入を防ぐための残滓フィルタと、
前記給水手段、前記洗浄ポンプ、前記発熱体、前記排水ポンプを駆動制御し、洗浄工程、少なくとも１つのすすぎ工程、加熱すすぎ工程を有する運転コースを実行する制御手段とを備えた食器洗い機において、
前記残滓フィルタの詰まりを検知するフィルタ詰まり検出手段と、
前記残滓フィルタの詰まりを報知する報知手段とを備え、
前記フィルタ詰まり検出手段は、前記洗浄槽内と連通するフロート室と、該フロート室内の洗浄水の水位が所定のフィルタ詰まり基準水位以上でＯＮして給水完了を検知し、前記所定のフィルタ詰まり基準水位未満でＯＦＦしてフィルタ詰まりを検知する水位検出手段とからなることを特徴とする食器洗い機。
【請求項３】
食器を収容する洗浄槽と、
該洗浄槽内に給水する給水手段と、
前記洗浄槽内に貯留された水を洗浄ノズルに送って食器に吹き付けさせ、該食器から落下した水を再び洗浄ノズルに送る洗浄ポンプと、
前記洗浄槽内に貯留された水を加熱する発熱体と、
前記洗浄槽内の水を外部に排水させる排水ポンプと、
前記洗浄ポンプ及び前記排水ポンプへの残滓の混入を防ぐための残滓フィルタと、
前記給水手段、前記洗浄ポンプ、前記発熱体、前記排水ポンプを駆動制御し、洗浄工程、少なくとも１つのすすぎ工程、加熱すすぎ工程を有する運転コースを実行する制御手段とを備えた食器洗い機において、
前記洗浄槽内と連通するフロート室内の洗浄水の水位が所定の給水基準水位以上で動作して給水位置を検知する洗浄水位検出手段と、
前記残滓フィルタの詰まりを検知するフィルタ詰まり検出手段と、
前記残滓フィルタの詰まりを報知する報知手段とを備え、
前記フィルタ詰まり検出手段は、前記ロート室と、該フロート室内の洗浄水の水位が所定のフィルタ詰まり基準水位で動作する水位検出手段とからなることを特徴とする食器洗い機。
【請求項４】
前記水位検出手段は、前記フロート室内の洗浄水の水位の変動に応じて上下方向に移動する磁石を内蔵したフロートと、フロート室内の所定のフィルタ詰まり基準水位位置に設けられ、該磁石が近づいてきたときに動作するリードスイッチとで形成されていることを特徴とする請求項１〜３のいずれかに記載の食器洗い機。
【請求項５】
前記制御手段は、前記洗浄工程、前記すすぎ工程又は前記加熱すすぎ工程のいずれかの工程の実施中に、前記フィルタ詰まり検出手段のフィルタ詰まりを検知した水位センサの検知信号を受けて前記報知手段がフィルタ詰まりを報知するようにしたことを特徴とする請求項１〜４のいずれかに記載の食器洗い機。
【請求項６】
前記報知手段は音発生手段又は表示手段のいずれかであることを特徴とする請求項１〜５のいずれかに記載の食器洗い機。
【請求項７】
前記制御手段は、前記報知手段がフィルタ詰まりを報知した後も引き続き、前記洗浄工程、前記すすぎ工程又は前記加熱すすぎ工程のいずれかを実施するようにしたことを特徴とする請求項１〜６のいずれかに記載の食器洗い機。
【請求項８】
前記制御手段は、前記洗浄工程又は前記加熱すすぎ工程の実施中で前記発熱体をＯＮさせた後で前記報知手段がフィルタ詰まりを報知した後も引き続き、前記洗浄工程又は前記加熱すすぎ工程を実施し、前記発熱体をＯＮさせてから所定時間経過後は前記洗浄工程又は前記加熱すすぎ工程を終了させることを特徴とする請求項１〜７記載の食器洗い機。
【請求項９】
前記洗浄槽内の洗浄水の温度を検出する温度検出装置を備え、
前記制御手段は、前記洗浄工程又は前記加熱すすぎ工程の実施中で前記発熱体をＯＮさせた後で前記報知手段がフィルタ詰まりを報知した後も引き続き、前記洗浄工程又は前記加熱すすぎ工程を実施し、前記発熱体をＯＮさせてから所定時間経過前に前記温度検出装置から洗浄水の温度が所定温度以上の検出信号を受けて前記発熱体をＯＦＦさせ、前記洗浄工程又は前記加熱すすぎ工程を終了させることを特徴とする請求項１〜７記載の食器洗い機。
【請求項１０】
前記制御手段は、リセットボタンの押下を受けて前記報知手段のフィルタ詰まりの報知を解除することを特徴とする請求項１〜９にいずれかに記載の食器洗い機。
【請求項１１】
前記制御手段は、前記報知手段がフィルタ詰まりを報知した後は、前記洗浄工程、前記すすぎ工程又は前記加熱すすぎ工程のいずれかの工程の実施を停止させることを特徴とする請求項１〜６のいずれかに記載の食器洗い機。
【請求項１２】
前記制御手段は、前記洗浄工程中に前記フィルタ詰まり検出手段のフィルタ詰まりを検知した水位検出手段の検知信号を受けて前記報知手段がフィルタ詰まりを報知するようにし、その後当該洗浄工程の実施を停止させ、前記洗浄工程以外の工程中に前記フィルタ詰まり検出手段のフィルタ詰まりを検知した水位センサの検知信号を受けて前記報知手段がフィルタ詰まりを報知するようにし、引き続き当該工程を実施するようにしたことを特徴とする請求項１〜６のいずれかに記載の食器洗い機。
【請求項１３】
前記フィルタ詰まり検出手段のフィルタ詰まりを検知した水位検出手段の検知信号に基づくフィルタ詰まり情報を記憶する報知情報記憶手段を備え、
前記制御手段は、前記洗浄工程、前記すすぎ工程、前記加熱すすぎ工程を有する運転コースの終了後に前記報知手段のフィルタ詰まりの報知を解除し、再度電源投入時に前記報知情報記憶手段に記憶された前回のフィルタ詰まり情報に基づいて前記報知手段によりフィルタ詰まりを報知させたことを特徴とする請求項１〜７のいずれかに記載の食器洗い機。
【請求項１４】
前記電源投入時に前記報知手段によるフィルタ詰まりの報知をスタートボタンの押下を受けて解除することを特徴とする請求項１３記載の食器洗い機。
【請求項１５】
前記フィルタ詰まり検出手段のフィルタ詰まりを検知した水位検出手段の検知信号に基づくフィルタ詰まり情報を記憶する報知情報記憶手段を備え、
前記制御手段は、前記洗浄工程、前記すすぎ工程、前記加熱すすぎ工程を有する運転コースの終了後に前記報知手段によるフィルタ詰まりの報知を行うようにしたことを特徴とする請求項１〜６のいずれかに記載の食器洗い機。
【発明の詳細な説明】
【技術分野】
【０００１】
本発明は、食器洗い機に係り、特にフィルタが取り付けられた食器洗い機に関するものである。
【背景技術】
【０００２】
従来の食器洗い機には、洗浄ポンプや排水ポンプへの異物混入を防ぐためのフィルタが取り付けられている。
洗浄時はフィルタを通過した洗浄水が洗浄ポンプにより加圧され、ノズルから噴射され、フィルタを介し再び洗浄ポンプへ戻ってくるという一連の動作で洗浄が繰り返される。
しかし、このフィルタが異物により詰まった場合には、洗浄ポンプへの洗浄水の流入量が減り、循環水量が減ることにより、洗浄性能を悪化させるという問題があった。
従来の食器洗浄機は、フィルタが異物により詰まった場合に洗浄ポンプへの洗浄水の流入量が減り、循環水量が減ることにより、洗浄ポンプモータの回転数が上昇し、洗浄ポンプモータの巻線間に設けられたコンデンサの端子間電圧も上昇するため、この端子間電圧の上昇を電圧検知手段で測定し、検知した電圧がフィルタ目詰まり電圧に達すると、フィルタの目詰まり状態として検出し、そのフィルタの目詰まり状態を報知或いは表示していた（例えば、特許文献１参照）。
【０００３】
また、従来の別の食器洗浄機は、フィルタが異物により詰まった場合には洗浄ポンプへの洗浄水の流入量が減り、循環水量が減ることにより、洗浄槽内の水位が異常に上昇するので、この水位の上昇を水位センサで測定し、測定した水位がフィルタ目詰まり水位に達すると、フィルタの目詰まり状態として検出し、そのフィルタの目詰まり状態を報知或いは表示していた。
ここで用いる水位センサは、ダイヤフラムにて二室に区分されたダイヤフラム容器の一方の室をチューブを介してフィルタの上面側と対応する位置に連通されたエアトラップに連通させることにより、ダイヤフラムの変位量をエアトラップの圧力の大小、即ち洗浄槽内の水位の高低に応じた量としてとらえ、さらにダイヤフラムに磁性体のコアが連結され、このコアの周囲にコイルを配設し、コイルのインダクタンスがコアの位置に応じて変化するように構成されたもので、コアはダイヤフラムの変位量が大きい場合ほどコイル内に入り込む量が大きくなり、インダクタンスは洗浄槽内の水位が高くなるのに応じて増大するため、インダクタンスに基づいて洗浄槽内の水位を検知する（例えば、特許文献２参照）。
【先行技術文献】
【特許文献】
【０００４】
【特許文献１】特公平５−５２７４１号公報（第１頁、第１図）
【特許文献２】特許第２９５３６９１号公報（第１頁、第３図）
【発明の概要】
【発明が解決しようとする課題】
【０００５】
上記特許文献１に記載の食器洗浄機では、洗浄ポンプモータの回転数が上昇し、洗浄ポンプモータの巻線間に設けられたコンデンサの端子間電圧の上昇を電圧検知手段で測定してフィルタの目詰まりを検出するが、その洗浄ポンプモータは所謂コンデンサモータといわれるものであり、洗浄ポンプモータとして直流モータを使用した食器洗浄機の場合には直流モータは負荷の変動に拘わらず電圧は変動しないため、モータ電圧からはフィルタの目詰まりを検出することができないという問題があった。
また、上記特許文献２に記載の食器洗浄機では、洗浄槽内の水位の異常な上昇を検出する水位センサを構成するものとして圧力を測定する所謂ダイヤフラムと、そのダイヤフラムの変位量をインダクタンスの変位量として検出すためのコアとコイルを必要とし、構成が複雑であり、コスト高となるという問題があった。
本発明はかかる課題を解決するためになされたもので、洗浄ポンプモータの種類を問わず、簡単な構成で残滓フィルタの目詰まりを検出することができる食器洗い機を得ることを目的とする。
【課題を解決するための手段】
【０００６】
本発明に係る食器洗い機は、食器を収容する洗浄槽と、該洗浄槽内に給水する給水手段と、前記洗浄槽内に貯留された水を洗浄ノズルに送って食器に吹き付けさせ、該食器から落下した水を再び洗浄ノズルに送る洗浄ポンプと、前記洗浄槽内に貯留された水を加熱する発熱体と、前記洗浄槽内の水を外部に排水させる排水ポンプと、前記洗浄ポンプ及び前記排水ポンプへの残滓の混入を防ぐための残滓フィルタと、前記給水手段、前記洗浄ポンプ、前記発熱体、前記排水ポンプを駆動制御し、洗浄工程、少なくとも１つのすすぎ工程、加熱すすぎ工程を有する運転コースを実行する制御手段とを備えた食器洗い機において、前記残滓フィルタの詰まりを検知するフィルタ詰まり検出手段と、前記残滓フィルタの詰まりを報知する報知手段とを備え、前記フィルタ詰まり検出手段は、前記洗浄槽内と連通するフロート室と、該フロート室内の洗浄水の水位が所定のフィルタ詰まり基準水位になると動作する水位検出手段とからなるものである。
【発明の効果】
【０００７】
本発明に係る食器洗い機においては、残滓フィルタの詰まりを検知するフィルタ詰まり検出手段は、洗浄槽内と連通するフロート室と、該フロート室内の洗浄水の水位が所定のフィルタ詰まり基準水位になると動作する水位検出手段とからなるので、残滓フィルタの目詰まりを検知するフィルタ詰まり検出手段をフロート室と水位検出手段という簡単な構成で形成することができる。
【図面の簡単な説明】
【０００８】
【図１】本発明の実施の形態１の食器洗い機の構成を示すブロック図。
【図２】同食器洗い機の概略構成を示す構成図。
【図３】同食器洗い機の洗浄工程の動作を示すフローチャート。
【図４】同食器洗い機のすすぎ工程の動作を示すフローチャート。
【図５】同食器洗い機の加熱すすぎ工程の動作を示すフローチャート。
【図６】本発明の実施の形態２の食器洗い機の構成を示すブロック図。
【図７】同食器洗い機の概略構成を示す構成図。
【図８】同食器洗い機の２水位検出手段の構成を示す説明図。
【発明を実施するための形態】
【０００９】
実施の形態１．
図１は本発明の実施の形態１の食器洗い機の構成を示すブロック図、図２は同食器洗い機の概略構成を示す構成図、図３は同食器洗い機の洗浄工程の動作を示すフローチャート、図４は同食器洗い機のすすぎ工程の動作を示すフローチャート、図５は同食器洗い機の加熱すすぎ工程の動作を示すフローチャートである。
図２において、洗浄槽１の上部には、洗浄槽１内に洗浄水３を給水させる給水手段である給水弁２が設けられている。洗浄槽１の下部には、洗浄水３を洗浄ノズル５に圧送する洗浄ポンプ４が設けられている。洗浄ノズル５には噴射孔６が設けられている。なお、洗浄ポンプ４は回転数が一定のＤＣモータによって駆動される。
【００１０】
洗浄槽１内で洗浄ノズル５の上方に食器７を収納する食器かご８が配置されている。洗浄槽１の下部で洗浄ノズル５の下方に、洗浄水３を加熱する発熱体９が配設されていると共に洗浄水３を外部に排水する排水ポンプ１０が配設されている。
さらに、洗浄槽１の下部で、洗浄ポンプ４の下流側に残滓フィルタ１１が設けられている。１２は洗浄槽１の下部で前側に設けられた制御装置である。
また、洗浄槽１の上部で後側には送風ファン１３が設けられ、洗浄槽１の上部で前側には排気口１４が設けられている。１５は洗浄水３の温度を検出する温度検出装置、１６は洗浄槽１と連通するフロート室１８に設けられ、洗浄槽１の下部に貯留する洗浄水３の水位を検出する洗浄水位検出手段である。
この洗浄水位検出手段１６は、フロート室１８内の洗浄水の水位の変動に応じて上下方向に移動する磁石を内蔵したフロート（図示省略）と、フロート室１８内の上方の所定の基準水位位置に設けられ、該磁石が近づいてきたときにＯＮ動作するリードスイッチ（図示省略）とで形成されている。
そして、フィルタ詰まり検出手段は、フロート室１８と、フロート室１８内の水位が所定の基準値以下になったときに動作して検知信号をを出力する洗浄水位検出手段１６とで構成されている。
【００１１】
図１において、制御装置１２の一部を構成する制御手段であるマイクロコンピュータ（以下、「マイコン」と称する）２０の入力側には、温度検出装置１５、洗浄水位検出手段１６及びスイッチ入力部２１が接続されている。
また、マイコン２０の出力側には、給水弁２を駆動する給水弁駆動回路２４、洗浄ポンプ４を駆動する洗浄ポンプ駆動回路２５、発熱体９を駆動する発熱体駆動回路１９、排水ポンプ１０を駆動する排水ポンプ駆動回路２６、送風ファン１３を駆動する送風ファン駆動回路２７及び報知部２２を駆動する報知部駆動回路２３が接続されている。
２９はマイコン２０に接続されている報知情報記憶手段である。
【００１２】
次に、本発明の実施の形態１の食器洗い機の動作を図３〜図５のフローチャートに基づいて説明する。
使用者が洗浄槽１の内部に収納された食器かご８に食器類を設置して洗浄を開始するために、まず電源キー（図示省略）をＯＮする（ステップＳ１）。
そうすると、マイコン２０は報知情報記憶手段２９に残滓フィルタ１１に残滓が詰ってクリーニングを必要とする詰まり報知情報があるかどうかを判断する（ステップＳ２）。
報知情報記憶手段２９に詰まり報知情報がなければ、スイッチ入力部２１のスタートボタンを押下すると（ステップＳ３）、洗剤による洗浄工程が開始される。
また、報知情報記憶手段２９に詰まり報知情報があり、報知部駆動回路２３によって報知部２２が例えばランプによる詰まりの報知表示を行っていて（ステップＳ４）、スイッチ入力部２１のスタートボタンを押下すると（ステップＳ５）、報知部２２のランプが消灯されて（ステップＳ６）、洗浄工程が開始される。
【００１３】
洗浄工程が開始されると、マイコン２０は給水弁駆動回路２４を動作させて給水弁２をＯＮ（開成）させ、洗浄槽１への給水を開始する（ステップＳ７）。
洗浄槽１の中に水が溜まっていき、マイコン２０では給水開始から例えば１８０秒という所定時間が経過しているかどうかを判断する（ステップＳ８）。
そして、所定時間経過していない場合で、給水が開始されてから例えば１５秒経ってマイコン２０が洗浄水位検出手段１６から洗浄槽１内部に洗浄可能な水量が貯留したことの検出信号を受けると（ステップＳ９）、給水弁駆動回路２４の動作を停止させて給水弁２をＯＦＦ（閉成）させる（ステップＳ１０）。
通常、給水弁２がＯＮして給水が開始されてから例えば１５秒経つと、洗浄槽１内部に洗浄可能な水量が貯留されることとなる。
従って、給水が開始されてから例えば１８０秒という所定時間が経過するということは、給水弁２が壊れているために給水しても洗浄槽１内の水位が上がらないことになるので、給水弁２をＯＦＦ（閉成）させ（ステップＳ１１）、給水しても水位が上がらないという報知部２２のランプによるエラーを表示させる（ステップＳ１２）。
【００１４】
このように、所定時間経過していない場合で給水弁２をＯＦＦ（閉成）させたら、洗浄ポンプ駆動回路２５を動作させて洗浄ポンプ４をＯＮさせる（ステップＳ１３）。そうすると、洗浄ポンプ４により圧送された洗浄水３を洗浄ノズル５から食器かご８に配置された食器類に向かって噴射させ、次に発熱体駆動回路１９を動作させて発熱体９に通電させて洗浄が行われる（ステップＳ１４）。
しかる後に、マイコン２０は洗浄水位検出手段１６の検出信号から洗浄槽１内の水位が残滓フィルタ１１の目詰まりにより低下した状態を示す基準値以下かどうかを判断する（ステップＳ１５）。
マイコン２０は洗浄水位検出手段１６から洗浄槽１内の水位が基準値以下であるとの検出信号を受けると、報知情報記憶手段２９に詰まり報知情報を記憶させ（ステップＳ１６）、報知情報記憶手段２９に記憶させた詰まり報知情報に基づいて、報知部２２により例えばランプによる詰まりの報知表示を行わせる（ステップＳ１７）。
このように、洗浄槽１内の水位が低下して基準値であるということは、残滓フィルタ１１に残滓が詰り、連通するフロート室１８内の水を洗浄ポンプ４で引き込むことにより、見かけ上の水位が低下したことを示している。
【００１５】
発熱体９への通電によって洗浄水３が加熱され、洗浄水３は温度検出装置１５の所定の水温の設定値である例えば、５５℃以上になるまで加熱されることによって食器類の洗浄を行うが、洗浄水３が５５℃以上になるまでは約２０分かかる。
そこで、マイコン２０は、洗浄水位検出手段１６からの洗浄槽１内の水位が基準値以下でない場合や洗浄槽１内の水位が基準値以下で報知表示を行った場合にも、それから例えば２０分の所定時間が経過しているかどうかを判断する（ステップＳ１７、Ｓ１８）。
２０分の所定時間が経過していない場合に、温度検出装置１５で洗浄水３が例えば５５℃の所定温度以上になっているかどうかを検出し（ステップＳ１９）、所定温度以上でない場合はステップＳ１５に戻り、所定温度以上の場合は発熱体９をＯＦＦし（ステップＳ２０）、フラグを立てて１とし（ステップＳ２１）、ステップＳ１５に戻る。
また、２０分の所定時間が経過していれば、フラグが立っているかどうかを判断し（ステップＳ２２）、フラグが立っていれば、既に発熱体９はＯＦＦしているので、ステップＳ２８に進む。
【００１６】
また、フラグが立っていなければ、マイコン２０は再度洗浄水位検出手段１６からの洗浄槽１内の水位が基準値以下かどうかを判断する（ステップＳ２３）。
マイコン２０は洗浄水位検出手段１６から洗浄槽１内の水位が基準値以下であるとの検出信号を受けると、報知情報記憶手段２９に詰まり報知情報を記憶させ（ステップＳ２４）、情報記憶手段２９に記憶させた詰まり報知情報に基づいて、報知部２２は例えばランプによる詰まりの報知表示を行わせる（ステップＳ２５）。
次に、マイコン２０は、洗浄水位検出手段１６からの洗浄槽１内の水位が基準値以下でない場合や洗浄槽１内の水位が基準値以下で報知表示を行った場合にも、温度検出装置１５で洗浄水３が例えば５５℃の所定温度以下になっているかどうかを判断し（ステップＳ１９）、所定温度以下でない場合は発熱体９をＯＦＦするステップＳ２８に進む。
【００１７】
また、温度検出装置１５で洗浄水３が例えば５５℃の所定温度以下になっている場合も給水からの最大所定時間、例えば２５分経過すると（ステップＳ２７）、発熱体９をＯＦＦし（ステップＳ２８）、洗浄ポンプ４をＯＦＦさせ（ステップＳ２９）、排水ポンプ駆動回路２６を動作させて排水ポンプ１０をＯＮして排水を開始する（ステップＳ３０）。
次に、排水ポンプ１０をＯＮして排水を開始から排水が完了するまでの所定時間が経過したかどうかをマイコン２０で判断し（ステップＳ３１）、所定時間が経過したら排水ポンプ１０の動作を停止させ（ステップＳ３２）、洗浄工程が終了する（ステップＳ３３）。
【００１８】
次に、すすぎ工程が開始される（ステップＳ３４）。
すすぎ工程が開始されると、マイコン２０は、給水弁駆動回路２４を動作させて給水弁２をＯＮ(開成)させ、洗浄槽１への給水を開始する（ステップＳ３５）。このとき、洗浄槽１の中に新たに給水された水により水が溜まっていき、マイコン２０では給水開始から例えば１８０秒という所定時間が経過しているかどうかを判断する（ステップＳ３６）。
そして、所定時間経過していない場合で、給水弁２がＯＮして給水が開始されてから例えば１５秒経ってマイコン２０は洗浄水位検出手段１６からの洗浄槽１内部に洗浄可能な水量が貯留したことの検出信号を受けると（ステップＳ３７）、給水弁駆動回路２４の動作を停止させて給水弁２をＯＦＦ（閉成）させる（ステップＳ３８）。
通常、給水弁２がＯＮして給水が開始されてから例えば１５秒経つと、洗浄槽１内部に洗浄可能な水量が貯留されることとなる。
従って、給水が開始されてから例えば１８０秒という所定時間が経過するということは、給水弁２が壊れているために給水しても洗浄槽１内の水位が上がらないことになるので、給水弁２をＯＦＦ（閉成）させ（ステップＳ３９）、給水しても水位が上がらないという報知部２２のランプによるエラーを表示させる（ステップＳ４０）。
【００１９】
このように、給水が開始されてから所定時間経過していない場合で給水弁２をＯＦＦ（閉成）させたら、洗浄ポンプ駆動回路２５を動作させて洗浄ポンプ４をＯＮさせる（ステップＳ４１）。そうすると、洗浄ポンプ４により圧送された洗浄水３を洗浄ノズル５から食器かご８に配置された食器類に向かって噴射させてすすぎを行う。このすすぎ工程では発熱体９には通電しない。
しかる後に、マイコン２０は洗浄水位検出手段１６からの洗浄槽１内の水位が基準値以下かどうかを判断する（ステップＳ４２）。
マイコン２０は洗浄水位検出手段１６からの洗浄槽１内の水位が基準値以下であるとの検出信号を受けると、報知情報記憶手段２９に詰まり報知情報を記憶させ（ステップＳ４３）、情報記憶手段２９に記憶させた詰まり報知情報に基づいて、報知部２２により例えばランプによる詰まりの報知表示を行わせる（ステップＳ４４）。
【００２０】
次に、マイコン２０は、洗浄水位検出手段１６から洗浄槽１内の水位が基準値以下でない検出信号を受けた場合や洗浄槽１内の水位が基準値以下で報知表示を行った場合にも、給水が開始されてから例えば２０分の所定時間が経過しているかどうかを判断する（ステップＳ４５）。
そして、マイコン２０は、例えば２０分の所定時間が経過したら、洗浄ポンプ駆動回路２５を動作させて洗浄ポンプ４をＯＦＦさせ（ステップＳ４６）、排水ポンプ駆動回路２６を動作させて排水ポンプ１０をＯＮして排水を開始する（ステップＳ４７）。
次に、排水を開始から排水が完了するまでの所定時間が経過したかどうかをマイコン２０で計測し（ステップＳ４８）、所定時間が経過したら排水ポンプ１０の動作を停止させ（ステップＳ４９）、すすぎ工程が終了する（ステップＳ５０）。
なお、すすぎ工程はコースによっては複数回繰り返すこともある（ステップＳ５１）。
【００２１】
次に、加熱すすぎ工程が開始される（ステップＳ５２）。
この加熱すすぎ工程は、洗浄工程と実質的に同じであり、洗浄工程では洗剤をいれるのに対し、加熱すすぎ工程は、洗剤を入れない点で相違するだけである。
従って、洗浄工程の給水弁２をＯＮするステップＳ７から排水ポンプ１０をＯＦＦするステップＳ３２と、加熱すすぎ工程の給水弁２をＯＮするステップＳ５３から排水ポンプ１０をＯＦＦするステップＳ７８は全く同じ動作であるので、加熱すすぎ工程のステップＳ５３からステップＳ７８の説明は省略する。
このように、排水ポンプをＯＦＦさせ（ステップＳ７８）、洗浄槽１の中の水を排水して加熱すすぎが終了し（ステップＳ７９）、洗いが完了する（ステップＳ８０）。
上記実施の形態１の報知部２２は例えばランプによる詰まりの報知表示を行わせているが、ブザーによる音の詰まりの報知を行わせるようにしてもよく、さらにはランプによる詰まりの報知表示とブザーによる音の詰まりの報知の両方を行うようにしてもよいことは勿論である。
【００２２】
この実施の形態１では、洗浄工程を開始する場合に給水弁２をＯＮ（開成）して洗浄水を洗浄槽１内に給水させるが、給水弁２が壊れて洗浄水が洗浄可能な所定の水位に達しなかったときには、報知部２２に給水しても水位上がらずのランプによるエラーを報知表示させ、洗浄工程、すすぎ工程及び加熱すすぎ工程中のいずれの場合にも残滓フィルタ１１が詰まって洗浄槽１内の水位が低下し、それを洗浄水位検出手段１６が検知したときには、マイコン２０が洗浄水位検出手段１６の水位低下の検出信号に基づいて詰まり報知情報を報知情報記憶手段２９に記憶させ、さらに報知部駆動回路２３によって報知部２２により、残滓フィルタ１１の詰まりを例えばランプの点灯表示により報知させるようにしている。このように、残滓フィルタ１１の目詰まりを報知することにより、残滓フィルタ１１の目詰まりによる洗浄力低下を簡単な構成で知らせることができる。
その報知後も引き続き、洗浄工程、すすぎ工程及び加熱すすぎ工程を実施するようにしている。
【００２３】
また、洗浄工程又は加熱すすぎ工程の実施中で、発熱体９をＯＮさせた後で、報知部２２により、残滓フィルタ１１の詰まりを例えばランプの点灯表示により報知した後も引き続き、洗浄工程又は加熱すすぎ工程を実施した場合、発熱体９による所謂空焚きのおそれを防止するため、発熱体９をＯＮさせてから、洗浄水温度が所定温度に達していなくとも、所定時間経過後は直ちに洗浄工程又は加熱すすぎ工程を終了させるようにしてもよい。  なお、報知部２２のランプの点灯による詰まりの報知表示をリセットボタンを押下することにより、ランプの点灯を消灯させて報知を解除することもできる。
そして、洗浄工程、すすぎ工程及び加熱すすぎ工程を実施した運転終了後には報知表示を消すようにしているが、再度電源投入時には報知情報記憶手段２９に記憶されている前回の詰まり報知情報を報知部２２がランプの点灯による報知表示をしている。
その報知部２２によるランプの点灯の詰まりの報知表示も、洗浄工程開始のスタートボタンの押下により報知部２２のランプが消灯させられる。
また、洗浄工程、すすぎ工程及び加熱すすぎ工程中のいずれの場合にも報知部２２により残滓フィルタ１１の詰まりを例えばランプの点灯表示により報知させた後は洗浄工程、すすぎ工程及び加熱すすぎ工程を停止させるようにしてもよい。
【００２４】
また、洗浄工程、すすぎ工程及び加熱すすぎ工程中に、洗浄水位検出手段１６の水位低下の検出信号に基づいて残滓フィルタ１１の詰まりが判明するが、報知部２２による残滓フィルタ１１の詰まりの報知を運転終了後に行うようにしてもよい。
さらに、洗浄工程中に、水位検出手段１６の水位低下の検出信号に基づいて残滓フィルタ１１の詰まりが判明したら、報知部２２による残滓フィルタ１１の詰まりの報知をすると共に洗浄工程を停止させ、すすぎ工程及び／又は加熱すすぎ工程中に、水位検出手段１６の水位低下の検出信号に基づいて残滓フィルタ１１の詰まりが判明したときには、報知部２２による残滓フィルタ１１の詰まりの報知をするが、報知後も引き続き、すすぎ工程及び／又は加熱すすぎ工程が終了するまで実施するようにしてもよい。
【００２５】
実施の形態２．
図６は本発明の実施の形態２の食器洗い機の構成を示すブロック図、図７は同食器洗い機の概略構成を示す構成図、図８は同食器洗い機の２水位検出手段の構成を示す説明図である。
この実施の形態２において、実施の形態１と同様の構成は実施の形態１と同一符号を付して重複した構成の説明を省略する。
この実施の形態２は、実施の形態１と異なり、フィルタ詰まり検出手段を、フロート室１８と、洗浄水位検出手段１６の他に、詰まり水位検出手段１７を備えた２水位検出手段で構成したものである。
【００２６】
この洗浄水位検出手段１６は、フロート室１８内の洗浄水の水位の変動に応じて上下方向に移動する磁石３０を内蔵したフロート３１と、フロート室１８内に設けられ、フロート３１が上下方向に移動するように案内する案内部材３２と、フロート室１８内の上方の所定の基準水位位置に設けられ、該磁石が近づいてきたときにＯＮ動作するリードスイッチ３２とで形成されている。
また、詰まり水位検出手段１７は、フロート室１８内の洗浄水の水位の変動に応じて上下方向に移動する磁石３０を内蔵したフロート３１と、フロート室１８内に設けられ、フロート３１が上下方向に移動するように案内する案内部材３２と、フロート室１８内の前記所定の基準水位より下方の下限基準水位位置に設けられ、該磁石が近づいてきたときにＯＮ動作するリードスイッチ３２とで形成されている。
このように、フロート室１８内には、洗浄水位検出手段１６と詰まり水位検出手段１７の２水位検出手段が設けられている。
【００２７】
この実施の形態２で、実施の形態１における洗浄工程のステップＳ９、すすぎ工程のステップＳ３７及び加熱すすぎ工程のステップＳ５５の水位検出に洗浄水位検出手段１６が用いられ、洗浄工程のステップＳ１５、Ｓ２３、すすぎ工程のステップＳ４２及び加熱すすぎ工程のステップＳ６１、Ｓ６９の水位検出に詰まり水位検出手段１７が用いられている点が実施の形態１と異なるところで、他の作用、効果は実施の形態１と同じであるので、洗浄工程、すすぎ工程及び加熱すすぎ工程の動作説明は省略する。
【００２８】
この実施の形態２では、洗浄槽１内に給水された洗浄水が所定の洗浄水水位にあるかどうかを洗浄水位検出手段１６で検出し、洗浄槽１内の給水された洗浄水の水位が残滓フィルタ１１の詰まりにより、洗浄槽１と連通するフロート室１８内の水を洗浄ポンプ４で引き込むことにより発生する見かけ上の水位の低下を詰まり水位検出手段１７で検出するというように、２水位検出手段で分担して検出するため、残滓フィルタ１１の詰まりを確実に検出することができる。
【符号の説明】
【００２９】
１  洗浄槽、２  給水弁、３  洗浄水、４  洗浄ポンプ、５  洗浄ノズル、６  噴射孔、７  食器、８  食器かご、９  発熱体、１０  排水ポンプ、１１  残滓フィルタ、１２  制御装置、１３  送風ファン、１４  排気口、１５  温度検出装置、１６  洗浄水位検出手段、１７  詰まり水位検出手段、１８  フロート室、１９  発熱体駆動回路、２０  マイコン、２１  スイッチ入力部、２２  報知部、２３  報知部駆動回路、２４  給水弁駆動回路、２５  洗浄ポンプ駆動回路、２６  排水ポンプ駆動回路、２７  送風ファン駆動回路、２９  詰まり情報記憶手段、３０  磁石、３１  フロート。
【図１】
2011000321.tif 000003
【図２】
2011000321.tif 000004
【図３】
2011000321.tif 000005
【図４】
2011000321.tif 000006
【図５】
2011000321.tif 000007
【図６】
2011000321.tif 000008
【図７】
2011000321.tif 000009
【図８】
2011000321.tif 000010